(57)【特許請求の範囲】
【請求項１】
左右一対のレンズと、該レンズの上端を繋ぐ連結杆とを具える第１レンズ部と、
該第１レンズ部の連結杆を枢支し、第１レンズ部を回動可能とする第１支持部と、
該第１支持部と連繋され、眼鏡に着脱自在に取り付けるための取付手段と、を具え、眼鏡へ着脱自在に装着される補助眼鏡において、
第１支持部は、補助眼鏡を眼鏡に装着したときに、眼鏡のレンズの略中央又は中央よりも下方位置にて、第１レンズ部の連結杆を支持したものであり、
第１レンズ部は、補助眼鏡を眼鏡に装着した状態で、第１支持部を中心として回動可能となっており、第１レンズ部を上方に回転させることにより、使用者が前方を見たときに第１レンズ部のレンズを通して見ることができ、第１レンズ部を下方に回転させることにより、使用者が下方を見たときに第１レンズ部のレンズを通して見ることができるようにしたことを特徴とする補助眼鏡。
【請求項２】
左右一対のレンズと、該レンズの上端を繋ぐ連結杆とを具える第２レンズ部と、
前記第１支持部の上部に形成され、第２レンズ部の連結杆を枢支する第２支持部と、をさらに具える請求項１に記載の補助眼鏡。
【請求項３】
第１レンズ部のレンズは、両面凸のレンズである請求項１又は請求項２に記載の補助眼鏡。
【請求項４】
左右一対のレンズと、該レンズの上端を繋ぐ連結杆とを具える第１レンズ部と、
第１レンズ部を回動可能に支持するテンプルと、
を具えており、
第１レンズ部を上方に回転させることにより、使用者が前方を見たときに第１レンズ部のレンズを通して見ることができ、第１レンズ部を下方に回転させることにより、使用者が下方を見たときに第１レンズ部のレンズを通して見ることができるようにしたことを特徴とする眼鏡。
【発明の詳細な説明】
【０００１】
【発明の属する技術分野】
本発明は、回動自在なレンズを有する補助眼鏡及び眼鏡に関するものである。
【０００２】
【従来の技術】
眼鏡を掛け替えることなく、レンズ度数、明暗、偏光度等を変えるために、眼鏡に着脱可能に装着できる補助眼鏡がある。
補助眼鏡は、左右一対のレンズの上端を連繋して、補助眼鏡を眼鏡に装着する取付手段に回動可能に支持し、使用時にはレンズを下方に回動させ、使用しない時にはレンズを上方に跳ね上げておくものである。
補助眼鏡には、老眼、近視、遠視、乱視等の視力に合わせた度付きレンズや、サングラス、偏光グラス等のレンズが使用され、眼鏡の機能が補われる。
【０００３】
【発明が解決しようとする課題】
老眼鏡の場合、近くの文字等を読むときと遠方を見るときで、眼鏡を掛け外ししなくて済むように、眼鏡のレンズの下側部分だけを老眼レンズにしたものがある。しかし、補助眼鏡は、眼鏡のレンズの全体を覆う補助レンズを有するものが一般的である。
老眼レンズの付いた眼鏡の場合、パソコンのディスプレイ等の前方の文字を読む場合には、眼鏡を少し持ち上げて老眼レンズの部分を通してディスプレイ等を見る必要がある。
【０００４】
また、補助眼鏡は、通常一種類のレンズしか配備されていないため、例えば、サングラスの場合はサングラス用レンズの補助眼鏡、老眼レンズの場合は老眼レンズを配した補助眼鏡というように、要求される機能に応じて夫々別の補助眼鏡を付け替えて使用せざるを得なかった。
【０００５】
本発明の目的は、回動自在なレンズを具え、機能性を高めた補助眼鏡及び眼鏡を提供することである。
【０００６】
【課題を解決するための手段】
上記課題を解決するために、本発明の補助眼鏡は、
左右一対のレンズと、該レンズの上端を繋ぐ連結杆とを具える第１レンズ部と、
該第１レンズ部の連結杆を枢支し、第１レンズ部を回動可能とする第１支持部と、
該第１支持部と連繋され、眼鏡に着脱自在に取り付けるための取付手段と、を具え、眼鏡へ着脱自在に装着される補助眼鏡において、
第１支持部は、補助眼鏡を眼鏡に装着したときに、眼鏡のレンズの略中央又は中央よりも下方位置にて、第１レンズ部の連結杆を支持したものであり、
第１レンズ部は、補助眼鏡を眼鏡に装着した状態で、第１支持部を中心として回動可能となっており、第１レンズ部を上方に回転させることにより、使用者が前方を見たときに第１レンズ部のレンズを通して見ることができ、第１レンズ部を下方に回転させることにより、使用者が下方を見たときに第１レンズ部のレンズを通して見ることができるようにした。
【０００７】
上記補助眼鏡は、さらに、
左右一対のレンズと、該レンズの上端を繋ぐ連結杆とを具える第２レンズ部と、
前記第１支持部の上部に形成され、第２レンズ部の連結杆を枢支する第２支持部と、をさらに具える構成とすることができる。
【０００８】
また、本発明の眼鏡は、
左右一対のレンズと、該レンズの上端を繋ぐ連結杆とを具える第１レンズ部と、
第１レンズ部を回動可能に支持するテンプルと、
を具えており、
第１レンズ部を上方に回転させることにより、使用者が前方を見たときに第１レンズ部のレンズを通して見ることができ、第１レンズ部を下方に回転させることにより、使用者が下方を見たときに第１レンズ部のレンズを通して見ることができるようにした。
【０００９】
【作用及び効果】
補助眼鏡を取付手段によって眼鏡に取り付けた状態で、第１レンズ部を半回転させることによって、第１レンズ部を眼鏡の上方と下方の両方で使うことができる。従って、手元の文字を見る場合には、第１レンズ部を下側に回動させることにより、第１レンズ部を通して文字を見ることができる。また、第１レンズ部を上側に回動させることにより、第１レンズ部を通して前方の文字を見ることができる。従って、補助眼鏡の機能性を向上させることができる。
これにより、パソコンのモニタと手元の書類を見るような場合や、大工仕事や電気工事のように脚立や梯子に登って上を向いて細かい作業をし、脚立等から下りるときに少し離れた足元を見なければならない場合等でも好適に作業を行なうことができる。
【００１０】
また、第２レンズ部を配備した場合には、第２レンズ部を下方に回動させると、第２レンズ部を通して見ることができ、第１レンズ部を上方、第２レンズ部を下方に回動させると、第１レンズ部と第２レンズ部が重なって、これら両レンズ部を通して見ることができる。第１レンズ部と第２レンズ部に用いるレンズの種類を変える、例えば、ピントの距離の異なるレンズを使用することによって、補助眼鏡の機能性を向上させることができる。
【００１１】
本発明の眼鏡は、第１レンズ部を下方に回転させることによって、視線を下向けたときのみに第１レンズ部を通して見ることができる。また、第１レンズ部を上方に回転させることによって、前方を向いたときのみに第１レンズ部を通して見ることができる。従って、眼鏡の機能性を向上させることができる。
これにより、パソコンのモニタと手元の書類を見るような場合や、大工仕事や電気工事のように脚立や梯子に登って上を向いて細かい作業をし、脚立等から下りるときに少し離れた足元を見なければならない場合等でも好適に作業を行なうことができる。
【００１２】
【発明の実施の形態】
以下、本発明の実施形態について説明する。
図１及び図２に示すように、補助眼鏡（１０）を眼鏡（９０）に装着して使用される。なお、以下で説明する補助眼鏡（１０）は、左右一対のレンズからなるレンズ部（２０）（３０）を、上下に配備して構成したものであるが、下側だけにレンズ部（２０）を配置した構成とすることもできる。
【００１３】
補助眼鏡（１０）が装着される眼鏡（９０）は、図１及び図２に示すように、左右一対のレンズ（９１）（９１）と、該レンズ（９１）（９１）を支持するフレーム（９２）と、フレーム（９２）の左右の端部に連繋されたテンプル（９３）（９３）とを具える。なお、フレームがなく、レンズに直接テンプルが取り付けられている眼鏡にも本発明の補助眼鏡を装着することができる。
【００１４】
補助眼鏡（１０）は、図１及び図２に示すように、左右一対のレンズ（２１）（２１）を有する第１レンズ部（２０）と、該第１レンズ部（２０）の上部に配備され、左右一対のレンズ（３１）（３１）を有する第２レンズ部（３０）と、図３に示すごとく、第１レンズ部（２０）及び第２レンズ部（３０）を回動可能に支持する支持部（１２）（１８）と、補助眼鏡（１０）を眼鏡（９０）に装着するための取付手段（４０）とを具備している。
【００１５】
第１レンズ部（２０）は、図１乃至図４及び図６に示すように、左右一対のレンズ（２１）（２１）と、両レンズ（２１）（２１）の上端側を連結する第１連結杆（２２）とを具える。レンズ（２１）（２１）は第１連結杆（２２）と一体に形成することができる。
【００１６】
第２レンズ部（３０）は、左右一対のレンズ（３１）（３１）と、両レンズ（３１）（３１）の上端側を連結する第２連結杆（３２）とを具える。レンズ（３１）（３１）は第２連結杆（３２）と一体に形成することができる。
【００１７】
第１レンズ部（２０）及び第２レンズ部（３０）に用いられるレンズとして、老眼用、近眼用、遠視用、乱視用などの度付きレンズ、サングラス、偏光グラス、又は、度付きのサングラスや偏光グラスを例示することができる。第１レンズ部（２０）と第２レンズ部（３０）のレンズ度数や種類は、異なるものを用いることが望ましい。また、第１レンズ部（２０）は、上方及び下方に回転させて両方向から見るためレンズの両面が凸又は凹のレンズを用いることが望ましい。
【００１８】
第１レンズ部（２０）及び第２レンズ部（３０）は、支持部（１２）（１８）に夫々支持される。支持部は、図１乃至図６に示すように、第１レンズ部（２０）を第２レンズ部（３０）の下側で回動可能に支持する第１支持部（１２）と、該第１支持部（１２）の上部に設けられ、第２レンズ部（３０）を第１レンズ部（２０）の上部で回動可能に支持する第２支持部（１８）から構成される。
【００１９】
第１支持部（１２）は、後述する取付手段（４０）の横杆（４１）の中央から下向きに突設された一対の第１支持脚（１３）（１３）の先端に第１レンズ部（２０）の連結杆（２２）を枢支する構成とすることができる。第１支持脚（１３）（１３）は、補助眼鏡（１０）が装着される眼鏡（９０）のレンズ（９１）の略中央又は中央より下方まで延びるように形成することが望ましい。第１支持脚（１３）（１３）の各先端は、下側に向けて二股に分かれており（図７参照）、先端の開口部分が連結杆（２２）よりも若干狭く形成され、連結杆（２２）は、開口部分の弾性力に抗して押し込み枢支される。
【００２０】
第２支持部（１８）は、第２レンズ部（３０）を第１レンズ部（２０）よりも上方で回動自在に支持する部分であって、取付手段（４０）の横杆（４１）の中央から上方に向けて支持片（１９）を突設し、第２レンズ部（３０）の連結杆（３２）を枢支する構成とすることができる。支持片（１９）は、横杆（４１）と平行に突設され、先端が上方に向けて二股に分かれた開口を形成し（図６参照）、先端の開口は、連結杆よりも若干狭くなっている。連結杆（３２）は、開口部分の弾性力に抗して押し込んで枢支される。
【００２１】
取付手段（４０）は、補助眼鏡（１０）を眼鏡（９０）に着脱可能に装着する手段であり、さらに、前述の第１支持部（１２）及び第２支持部（１８）が形成されている。
取付手段（４０）は、図１、図４乃至図７に示すように、第１支持部（１２）及び第２支持部（１８）が形成される横杆（４１）と、該横杆（４１）の両端から下向きに突設された押え手段（４２）と、横杆（４１）に枢支された挟み手段（４３）とを具える。挟み手段（４３）（４３）は、横杆（４１）の後方に突設された枢支部（４４）（４４）に、ピン（４５）を用いて水平面内にて揺動可能に支持され、各挟み手段（４３）（４３）の夫々外側の端部には、図４及び図５に示すように、前記押え手段（４２）（４２）と対向する位置に、下向きに突設された押え片（４６）（４６）が形成されている。また、挟み手段（４３）（４３）の他端には、使用者が眼鏡（９０）への着脱の際に指で摘む摘み片（４７）（４７）が形成されており、摘み片（４７）（４７）と横杆（４１）との間には、挟み手段（４３）（４３）の押え片（４６）（４６）を押え手段（４２）（４２）の方向に向けて付勢する付勢手段（４８）（４８）が配備されている。付勢手段（４８）（４８）として、図６に示すようなバネを例示できる。
摘み片（４７）（４７）を摘んで横杆（４１）側に押しつけると、挟み手段（４３）（４３）の先端の押え片（４６）（４６）と押え手段（４２）（４２）との間隔が広がり、これらの間に眼鏡（９０）又は眼鏡（９０）のフレーム（９２）を挿入し、手を離すことによって付勢手段（４８）（４８）の付勢力によって、押え片（４６）（４６）が押え手段（４２）（４２）の方向に復帰し、補助眼鏡（１０）が眼鏡（９０）に装着される。
【００２２】
取付手段（４０）はさらに、押え片（４６）（４６）と押え手段（４２）（４２）との間隔を広げた状態で、補助眼鏡（１０）を眼鏡（９０）に取り付けたときに、補助眼鏡（１０）が眼鏡（９０）のレンズ（９１）（９１）よりも下側に落ち込んでしまわないように、眼鏡（９０）又は眼鏡（９０）のフレーム（９２）の上縁と当たる当り突部（５０）を形成することが望ましい。当り突部（５０）（５０）は、図１及び図６に示すように、横杆（４１）から後方に向けて突設することができる。なお、この場合、当り突部（５０）（５０）が挟み手段（４３）（４３）と当たらないように、挟み手段（４３）（４３）側に夫々凹み（５１）（５１）を設けることが望ましい。
【００２３】
上記構成の補助眼鏡（１０）は、摘み片（４７）（４７）を横杆（４１）の方向に押し、押え片（４６）（４６）と押え手段（４２）（４２）との間に眼鏡（９０）のレンズ（９１）（９１）又はフレーム（９２）を挿入し、この状態で摘み片（４７）（４７）を付勢手段（４８）（４８）の弾性力によって復帰させることによって、補助眼鏡（１０）が眼鏡（９０）に装着される。
【００２４】
補助眼鏡（１０）の第１レンズ部（２０）と第２レンズ部（３０）は、夫々、図１、図２等に示すように、第１レンズ部（２０）及び第２レンズ部（３０）を上下に回転させることによって、使用者の用途に応じた状態で使用できる。
例えば、図１、図３及び図５に示すように、第１レンズ部（２０）と第２レンズ部（３０）の両方を下側に向けた状態で使用すると、使用者が前方を向いたときに使用者は第２レンズ部（３０）を通して見ることができ、下方を向いたときには第１レンズ部（２０）を通して見ることができる。
図２、図８及び図９に示すように、第１レンズ部（２０）と第２レンズ部（３０）を両方とも上側に向けた状態で使用すると、使用者が前方を向いたときには第１レンズ部（２０）を通して見ることができ、第２レンズ部（３０）は眼鏡（９０）のレンズ（９１）の外側に位置するため、第２レンズ部（３０）は使用されない。
また、第１レンズ部（２０）を下側、第２レンズ部（３０）を上側に向けた状態で使用すると、使用者が前方を向いたときには、両レンズ部（２０）（３０）は使用されず、眼鏡（９０）のレンズ（９１）のみを通して見ることができ、下方を向いたときには、第１レンズ部（２０）を通して見ることができる。
さらに、図１０に示すように、第１レンズ部（２０）を上側、第２レンズ部（３０）を下側に向けた場合には、第１レンズ部（２０）のレンズ（２１）と第２レンズ部（３０）のレンズ（３１）が重なり、使用者は前方を向いたときに、第１レンズ部（２０）及び第２レンズ部（３０）の両方を通して見ることができる。
【００２５】
上記のように、第１レンズ部（２０）と第２レンズ部（３０）を、夫々上側又は下側に回転させるだけで、目的に応じて、第１レンズ部（２０）及び／又は第２レンズ部（３０）を通して見ることができる。
【００２６】
また、摘み片（４７）（４７）を横杆（４１）の方向に押さえて、押え片（４６）（４６）と押え手段（４２）（４２）との間隔をあけて、補助眼鏡（１０）を眼鏡（９０）に対して上方へ引っぱると、補助眼鏡（１０）を眼鏡（９０）から容易に取り外すことができる。
【００２７】
なお、上記実施例では、補助眼鏡（１０）は、上下に第１レンズ部（２０）と第２レンズ部（３０）とを配したが、第１レンズ部（２０）のみを具える構成としてもよい。また、取付手段（４０）の構成は上記実施例に限定されるものではない。
【００２８】
異なる実施例として、図１１に示すように、上記の補助眼鏡（１０）にテンプル（７２）（７２）を直接取り付けて、眼鏡（８０）として使用することもできる。第２レンズ部（３０）を枢支する第２支持部（１８）の裏面に支持杆（７０）を固定し、該支持杆（７０）の両端にテンプル（７２）（７２）を配備すればよい。
眼鏡（８０）は、第１レンズ部（２０）と第２レンズ部（３０）を夫々上下に回動させることにより、上記と同様、用途に応じて見ることができる。
なお、第２レンズ部（３０）を用いず、第１レンズ部（２０）の左右に直接テンプル（７２）（７２）を枢支した構成としてもよい。
【００２９】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能である。
【図面の簡単な説明】
【図１】本発明の補助眼鏡を眼鏡に装着した状態を示す斜視図である。
【図２】本発明の補助眼鏡を眼鏡に装着した状態を示す斜視図である。
【図３】本発明の補助眼鏡の正面図である。
【図４】本発明の補助眼鏡の背面図である。
【図５】本発明の補助眼鏡の側面図である。
【図６】本発明の補助眼鏡の上面図である。
【図７】本発明の補助眼鏡の底面図である。
【図８】補助眼鏡の第１レンズ部及び第２レンズ部を上方に回動させた状態を示す正面図である。
【図９】図８の側面図である。
【図１０】補助眼鏡の第１レンズ部を上方、第２レンズ部を下方に回動させた状態を示す正面図である。
【図１１】本発明の眼鏡の斜視図である。
【符号の説明】
（１０）  補助眼鏡
（２０）  第１レンズ部
（３０）  第２レンズ部
（４０）  取付手段
（９０）  眼鏡
【図１】
0003616081.tif 000002
【図２】
0003616081.tif 000003
【図３】
0003616081.tif 000004
【図４】
0003616081.tif 000005
【図５】
0003616081.tif 000006
【図６】
0003616081.tif 000007
【図７】
0003616081.tif 000008
【図８】
0003616081.tif 000009
【図９】
0003616081.tif 000010
【図１０】
0003616081.tif 000011
【図１１】
0003616081.tif 000012